(57)【要約】【課題】眼鏡フレーム等に豊富なデザインを施すことができる複合線材２０を提供する。【解決手段】複合線材２０は、螺旋状に形成された複数の線材３０が組み合わされて形成され、線材３０の少なくとも１本が着色されている。そして、線材３０の少なくとも１本が、塗装された金属線材である構成とすることができる。また、線材３０の少なくとも１本が、メッキされた金属線材である構成とすることができる。また、線材３０の少なくとも１本が、着色された樹脂線材である構成とすることができる。また、複合線材２０は、扁平化して用いることができる。そして、眼鏡フレームの部材やブレスレット等のアクセサリーの部材に用いることができる。【選択図】図１
2019049655.tif 000002
【特許請求の範囲】
【請求項１】
装飾用の複合線材であって、
螺旋状に形成された複数の線材が組み合わされて形成され、前記線材の少なくとも１本が着色されていることを特徴とする複合線材。
【請求項２】
前記線材の少なくとも１本が、塗装された金属線材であることを特徴とする請求項１に記載の複合線材。
【請求項３】
前記線材の少なくとも１本が、メッキされた金属線材であることを特徴とする請求項１又は２に記載の複合線材。
【請求項４】
前記線材の少なくとも１本が、着色された樹脂線材であることを特徴とする請求項１乃至３の何れか１項に記載の複合線材。
【請求項５】
請求項１乃至請求項４の何れか１項に記載の複合線材が、２方向から圧縮され、扁平化されていることを特徴とする複合線材。
【請求項６】
請求項１乃至請求項５の何れか１項に記載の複合線材が、用いられていることを特徴とする眼鏡フレーム。
【発明の詳細な説明】
【技術分野】
【０００１】
本発明は、複数の線材を用いて形成された装飾用の複合線材に関し、特に、塗装などで各線材を着色することにより豊富なデザインを与えて、眼鏡フレームやブレスレット等の部材とすることが可能な複合線材に関する。
【背景技術】
【０００２】
特許文献１には、３本の線材が三つ編み状に組み込まれた複合線材が記載され、眼鏡枠のブリッジやテンプル等に用いることが記載されている。また、従来の複合線材として、２本の線材を捩じって形成した紐線を、表裏両面から圧縮して圧着したものが記載されている。
【０００３】
このような複合線材は、眼鏡フレームの部材として十分な強度を備えることが可能であり、剛性と柔軟性とのバランスを適当に設定することが可能である。
【先行技術文献】
【特許文献】
【０００４】
【特許文献１】特開２０００−３１０７５４号公報
【発明の概要】
【発明が解決しようとする課題】
【０００５】
しかしながら、このような構成部材は外観が単調な形状の繰り返しであり、変化を付けることが難しく、斬新なデザインを創作することが困難である。
例えば、線材の断面形状や材質を変化させても、それほど幅広いデザインに発展するものではない。
そこで、本発明は、眼鏡フレームの各部材やブレスレット等のアクセサリーに使用可能な複合線材であって、安価な製造が可能であり、各用途に豊富なデザインを与えることができる複合線材を提供することを目的としている。
【課題を解決するための手段】
【０００６】
前記目的を達成するために、本発明の複合線材は、装飾用の複合線材であって、螺旋状に形成された複数の線材が組み合わされて形成され、前記線材の少なくとも１本が着色されていることを特徴としている。
そして、前記線材の少なくとも１本が、塗装された金属線材とすることができる。
また、前記線材の少なくとも１本が、メッキされた金属線材とすることができる。
また、前記線材の少なくとも１本が、着色された樹脂線材とすることができる。
さらに、２方向から圧縮され、扁平化されている形態とすることができる。
【０００７】
そして、本発明の眼鏡フレームは、前記何れかの複合線材が用いられていることを特徴としている。
【発明の効果】
【０００８】
本発明の複合線材は、各線材に様々な色彩の着色を施したものであり、その組み合わせによって豊富なデザインを創作することができる。また、製造方法が容易であるために、ブレスレットや小物などに幅広く応用することが可能であり、眼鏡フレームについても、リムやテンプルに斬新なデザインを展開することができる。
【図面の簡単な説明】
【０００９】
【図１】本発明の複合線材の一例と、これを構成している各線材とを概略正面図及び概略側面図で示している。
【図２】線材の数が異なる場合の例を示す概略正面図及び概略側面図である。
【図３】螺旋のピッチを変えた場合及び扁平化した場合の例を示す概略図である。
【図４】本発明の複合線材の製造工程を示す説明図である。
【図５】本発明の複合線材をテンプルに使用した眼鏡フレームを示す概略図である。
【発明を実施するための形態】
【００１０】
図１（ａ）は、本発明の一例である複合線材２０を正面図及び側面図で示している。
複合線材２０は、図１（ｂ）〜図１（ｄ）に示すように螺旋状に形成された３本の線材３１、３２、３３が、組み合わされて形成されている。以下、３本を区別せずに説明するときは、線材３０と記載する。
すなわち、装飾用の複合線材２０は、螺旋状に形成された複数の線材３０が、組み合わされて線状に形成されている。
【００１１】
線材３０の材質としては、製造が可能であり、使用に不都合のない材質であれば、全て用いることができる。すなわち、金属材料に限らず樹脂材料などを用いることができる。また、金属材料と他の材料とを混ぜて使用することができる。
各線材３０の線径は、全て同じ線径とすることもできるし、異なる径の線材３０を混ぜて使用することもできる。また、各線材３０の断面は、必ずしも円形である必要はなく、楕円形や多角形なども用いることができるが、丸みのある断面であることが好ましい。
【００１２】
本発明の複合線材２０は、線材３０の少なくとも１本が、着色されていることを特徴としている。
例えば、螺旋状に形成された金属線材を塗装することによって、着色された線材３０とすることができる。
金属線材としては、従来から眼鏡フレームやアクセサリーなどで使用されている素材が好ましく、眼鏡フレームに使用されているチタン系の合金を素材として、眼鏡フレーム用の複合線材２０を製作することもできる。
【００１３】
また、螺旋状に形成された金属線材をメッキすることによっても、着色された線材３０とすることができる。
金属線材としては、メッキ処理に適した金属が好ましいために、塗装の場合よりも多少範囲が狭められるが、それでも従来から眼鏡フレームやアクセサリー類で使用されている多くの素材を使用することができる。
【００１４】
また、好みの色に着色された樹脂材料を用いて、螺旋状の線材３０とすることも可能である。この場合も様々な着色を行うことが可能となり、金属線材と混ぜて使用することもできるので、応用分野を拡大することができる。
なお、金属線材や樹脂線材を加工して螺旋状の線材３０とする方法、及び着色された樹脂材料を用いて螺旋状の線材３０とする方法については後述する。
【００１５】
複合線材２０は、３本の線材３１、３２、３３を使用した場合であるが、本数を変えた場合を図２（ａ）〜（ｃ）に示す。
図２（ａ）に示した複合線材２２は、螺旋状に形成された２本の線材３１、３２が、組み合わされて線状に形成されている。
また、図２（ｂ）に示した複合線材２４は、螺旋状に形成された４本の線材３１、３２、３３、３４が、組み合わされて線状に形成されている。
また、図２（ｃ）に示した複合線材２５は、螺旋状に形成された５本の線材３１、３２、３３、３４、３５が、組み合わされて線状に形成されている。
【００１６】
図３（ａ）〜（ｃ）は、複合線材２０を変形した例を示している。
図３（ａ）に示した複合線材２６は、螺旋のピッチを複合線材２０よりも短くして形成した線材３１、３２、３３を用いた場合を示している。
また、図３（ｂ）に示した複合線材２７は、螺旋のピッチを複合線材２０よりも長くして形成した線材３１、３２、３３を用いた場合を示している。
さらに、図３（ｃ）に示した複合線材２８は、複合線材２０を形成した後に、２方向から圧縮して、扁平化させた場合を示している。
【００１７】
図４（ａ）（ｂ）により、金属線材や樹脂材料から、螺旋状の線材３０を製作する方法について説明する。線材３０は、３本用いる場合とする。
（金属線材の場合）（図４（ａ）参照）
ステップＳ０１において、３本の線材３０ａを準備する。
ステップＳ０２において、３本の線材３０ａを撚り合わせて複合化を行い、複合線材２０ａを形成する。
ステップＳ０３において、撚り合わされた複合線材２０ａを解くことにより、螺旋状に形成された３本の線材３０ｂとすることができる。
【００１８】
線材３０ｂは、複合化されるときに表面が荒れた状態となる。
そこで、ステップ０４において、線材３０ｂを研磨して表面を滑らかにした後に、塗装又はメッキを施して着色することによって、螺旋状に形成された線材３０ｂを着色された線材３０ｃとしている。
ステップ０５において、螺旋状で着色された３０ｃを再び組み合わせることによって、複合線材２０とすることができる。
【００１９】
（樹脂線材の場合）（図４（ｂ）参照）
ステップＳ１１において、少なくとも１本が着色された３本の線材３０ｄを準備する。
ステップＳ１２において、３本の樹脂線を撚り合わせて複合化を行い、複合線材２０ｂを形成する。ここで各線材３０ｄは弾性変形される。
ステップＳ１３において、撚り合わされた複合線材２０ｂを熱処理することによって、弾性変形した線材３０ｄの応力を除去して、螺旋状に変形させることができる。
そして、撚り合わされた複合線材２０ｂを解くことによって、螺旋状に形成された３本の線材３０ｅとすることができる。
ステップＳ１４において、着色された螺旋状の線材３０ｅを組み合わせることにより、複合線材２０とすることができる。
【００２０】
なお、樹脂材料を使用する場合には、ステップＳ２１に示す着色溶融樹脂を準備して、ステップＳ２２において型枠を用いて成形することによって、螺旋状の線材３０ｆとすることができる。
この場合は、形成される線材３０の色を、準備段階で任意の色に決めることができる。
そして、金属線材から作った線材３０ｃと、樹脂線材から作った線材３０ｅ、３０ｆを同じピッチの螺旋状とすることによって、これらを混合して使用することができる。
【００２１】
本発明の複合線材２０は、複数の線材３０が全て同じ色であっても良いし、異なる色を混ぜて使用することもできる。また、着色されていない線材３０を混ぜて使用することもできる。例えば、ステンレス製の線材３０を混ぜて使用しても良いし、透明な樹脂の線材３０を混ぜて使用することもできる。
以上のように、本発明の複合線材２０は、線材３０の材料を金属とすることも、樹脂とすることも可能であり、着色する色に関しても殆ど無制限に着色することが可能となり、眼鏡フレームの部材やアクセサリーの部材として使用することができる。
【００２２】
図５は、複合線材２０を眼鏡フレーム５０の部材として用いた例であり、テンプル５２とした場合を示している。
複合線材２０を用いるときは、両端を固定して解けないようにすることが必要である。テンプル５２は、一端がヨロイ部５１に接続されて固定され、他端が端部材５６に接続されて固定されている。固定の方法は、接着や圧着が好ましく、例えば端部材５６に差し込み用の孔を設けて複合線材２０の端部を固定することができる。
【００２３】
複合線材２０は、複数の鮮やかな色彩を備えることができるので、透明樹脂で形成したモダン５３の補強部としても使用することができる。すなわち、テンプル５２がそのまま延長されて、モダン５３の補強材として使用されているので、モダン５３が複合線材２０によって鮮やかにデザインされることになる。
【００２４】
以上、図面を参照して、本発明の複合線材２０について詳述したが、具体的な構成は、この実施形態に限らず、本発明の要旨を逸脱しない程度の設計的変更は、本発明に含まれる。
例えば、複合線材２０等において、螺旋のピッチは一定のピッチとしているが、長さの方向にピッチが変化する構成とすることができる。
複合線材２０の使用例として眼鏡フレーム５０のテンプル５２のみを示したが、リムやブリッジ等の他の部材としても使用できる。
さらに、眼鏡フレーム５０に限らず、ブレスレット、ネックレス、イヤリング、ハンドバッグ等にも幅広く使用することができる。
【符号の説明】
【００２５】
２０、２２、２４、２５、２６、２７、２８……複合線材
３０、３１、３２、３３、３４、３５……線材
５０……眼鏡フレーム
【図１】
2019049655.tif 000003
【図２】
2019049655.tif 000004
【図３】
2019049655.tif 000005
【図４】
2019049655.tif 000006
【図５】
2019049655.tif 000007